(57)【要約】【課題】防刃性が優れているとともに、単に該防刃性が高いだけでなく、手袋着用者の手指の繊細な動き・運動、機能を害することが少なく、着用者により安全に使用状態を提供する、従来には見られない防刃手袋を提供すること。【解決手段】手袋構造体が少なくとも３層積層されてなり、該積層構造の中間層の手袋構造体が金属繊維糸で編成されてなる手袋編み構造体であることを特徴とする防刃手袋であり、好ましくは、該手袋構造体のそれぞれが手袋編みされた手袋編み構造体である該防刃手袋であり、あるいは好ましくは、着用者側の内層の手袋構造体が、芳香族ポリアミド繊維糸を用いて編成されてなる該防刃手袋である。【選択図】図１
2004131871.tif 000002
【特許請求の範囲】
【請求項１】
手袋構造体が少なくとも３層積層されてなり、該積層構造の中間層の手袋構造体が金属繊維糸で編成されてなる手袋編み構造体であることを特徴とする防刃手袋。
【請求項２】
手袋構造体のそれぞれが手袋編みされた手袋編み構造体であることを特徴とする請求項１記載の防刃手袋。
【請求項３】
着用者側の内層の手袋構造体が、芳香族ポリアミド繊維糸を用いて編成されてなることを特徴とする請求項１または２記載の防刃手袋。
【発明の詳細な説明】
【０００１】
【発明の属する技術分野】
本発明は、防刃手袋に関する。
【０００２】
更に詳しくは、防刃性が優れているとともに、単に防刃性が高いだけでなく、手袋着用者の手指の動き・運動、機能を害することが少なく、着用者により安全に使用状態を提供する、従来には見られない防刃手袋に関する。
【０００３】
【従来の技術】
従来、防刃手袋や防護手袋としては、金属の鎖状のものを縫着したものや、金属繊維を撚り込んだ糸を編んだもの等が知られている（例えば、特許文献１、特許文献２、特許文献３など）。
【０００４】
しかし、かかる従来の防刃手袋は、特に防刃性を実現するために、強固かつ頑丈に金属繊維糸条を用いて構成されているものであり、一般的に、着用者の自由な手指の動きを制限するものであり、手指で物を繊細に握るという点においては不自由な点もあるものであった。
【０００５】
すなわち、例えば、強固にかつ厳重に金属繊維糸が使用されている防護手袋を着用した警察官が任務により手帳や書類に記入しようとするときに、そのような手袋を着用したままでは、筆記具等を持って自由に筆記することができにくいものであった。もし、該手袋を脱いで字などを書くのであれば、その間は防刃手袋・防護手袋を着用していないことになり、せっかくの該手袋の役目が果たせなくなるケースもあり得るものであった。
【０００６】
このようなことは、防刃手袋を着用してパトロールカー等の車輌を運転するような状況でも同様であった。
【０００７】
【特許文献１】特開平８−２９１４０５号公報
【０００８】
【特許文献２】特開２００１−８１６１４号公報
【０００９】
【特許文献３】特開平１０−１２１３１０号公報
【００１０】
【発明が解決しようとする課題】
上記したような点に鑑み、本発明の目的は、防刃性が優れているとともに、単に防刃性が高いだけでなく、手袋着用者の手指の繊細な動き・運動、機能を阻害してしまうことが少なく、着用者により安全に使用状態を提供する、従来には見られない防刃手袋を提供することにある。
【００１１】
【課題を解決するための手段】
かかる目的を達成する本発明の防刃手袋は、以下の（１）の構成を有するものである。
（１）手袋構造体が少なくとも３層積層されてなり、該積層構造の中間層の手袋構造体が金属繊維糸で編成されてなる手袋編み構造体であることを特徴とする防刃手袋。
【００１２】
また、かかる（１）記載の防刃手袋において、好ましくは、以下の（２）または（３）の構成からなるものである。
（２）手袋構造体のそれぞれが手袋編みされた手袋編み構造体であることを特徴とする上記（１）記載の防刃手袋。
（３）着用者側の内層の手袋構造体が、芳香族ポリアミド繊維糸を用いて編成されてなることを特徴とする上記（１）または（２）記載の防刃手袋。
【００１３】
【発明の実施の形態】
以下、更に詳しく本発明の防刃手袋について、説明する。
【００１４】
本発明に係る防刃手袋は、手袋構造体が少なくとも３層積層されてなり、該積層構造の中間層の手袋構造体が金属繊維糸で編成されてなる手袋編み構造体であることを特徴とするものである。
【００１５】
上記積層構造の中間層をなす手袋構造体を構成する金属繊維糸は、例えば、ステンレススチール線・糸などのスチール繊維・糸、チタン合金繊維・糸などを用いるのが好ましいが、コストの点ではスチール繊維・糸を用いるのが良い。
【００１６】
該金属繊維糸は、太さが０．０１〜０．２ｍｍ程度の細い金属線・繊維が数本〜数１０本、好ましくは数本〜１０本程度が一束の糸状とされて、手袋構造を編む編糸として用いられるのがよい。該編糸には、金属線の他に、高強力高弾性繊維と呼ばれるような適宜の合成繊維などが混用されていてもよいものである。混用は、金属繊維糸と合わせられて一つの編糸を構成するようにしてもよいし、また、あるいは金属繊維糸とは別の編糸として構成されて、編糸の単位で混用されるようにしてもよい。
【００１７】
金属繊維糸が、上述の範囲のものよりも太すぎる場合には、編糸としての該金属繊維糸が曲がりにくく成編することが難しくなり好ましくない。　また、上述の範囲のものよりも細すぎる場合には、防刃効果が弱くなり好ましくない。
【００１８】
該金属繊維糸を編成した手袋構造体は、全体の重量として１０ｇ〜数１０ｇ程度のものとするのがよい。重ければ、金属使用量も多くなり、より防刃性が高くなるが、着用者の手指の自由な動きを妨げる方向であり本発明の目的の上からは好ましくない。
【００１９】
金属繊維糸が手袋編構造体に編成されるに際して、編みゲージは、通常の５〜１５ゲージ程度のものとするのがよい。例えば、５ゲージまたは７ゲージによるものは、適度な編み目粗さであり好ましい。
【００２０】
本発明に係る防刃手袋は、上述の金属繊維糸を用いた手袋編構造体を中間層として、その内側と外側のそれぞれには、更に、別の手袋構造体を積層し、合計で少なくとも３層の構造にして一つの手袋を構成するものである。
【００２１】
内側層と外側層のそれぞれの手袋構造体は、それぞれが手袋編みされた手袋編み構造体であっても良いが、必ずしも手袋編みによるものでなくてもよく、例えば、手袋パーツ型にカットした裁断片を縫製して手袋構造体に構成したものでもよい。
【００２２】
それら内側、外側の手袋構造体を構成する素材は、特に限定されるものではなく、例えば、天然繊維糸、合成繊維糸、牛皮などの天然の皮革、人造の皮革などを用いることができる。例えば、内側にも防刃効果のある高強度・高弾性繊維糸としての、パラ型アミド繊維糸（例えば、商品名“ケブラー”（登録商標）糸など）などの芳香族ポリアミド繊維糸、ＰＢＴ繊維糸、ＰＢＯ繊維糸（例えば、商品名“ザイロン”（東洋紡績（株）登録商標）糸など）などを使用すると一層高度で優れた防刃効果や、耐熱性等をも有した複合効果を発揮することができる。
【００２３】
また、外側の層には、雨天時や厳寒期などにも対応できるように天然もしくは人造の皮革などを使用することもでき、好ましいものである。
【００２４】
少なくとも３層の手袋構造体は、積層をするに際して、纏い糸などにより各手袋構造体を止着するのが好ましい。
【００２５】
各層を手袋編み構造体にして構成するときには、最内層の層の手袋編みのゲージと金属繊維糸の手袋編み構造体のゲージとを相違するものにしてもよい。例えば、金属繊維糸の手袋編み構造体のゲージを最内層のものよりもハイゲージにしても良く、そのようにした場合にはより高い防刃効果を実現することができる。
【００２６】
あるいは、最内層をハイゲージでかつ芳香族ポリアミド繊維糸を用いた手袋編み構造体とし、中間層の金属繊維糸の手袋編み構造体は、それよりも粗いゲージで手袋編みしたものを使用する等のことができる。その場合にも、芳香族ポリアミド繊維糸と金属繊維糸の相乗効果により高い防刃効果を達成することができる。
【００２７】
図１は、本発明の防刃手袋の中間層に用いられる金属繊維糸から編成された手袋構造体を示した概略モデル斜視図である。
【００２８】
本発明の防刃手袋の中間層の手袋構造体１は、金属繊維糸２が用いられて手袋に編成されてなるものである。
【００２９】
図２は、本発明の防刃手袋５をなす積層構造体の構成を概略的に示した概略断面モデル図であり、中間層の手袋構造体１と内側層の手袋構造体３、および外側層の手袋構造体４からなる手指部をモデル的に示したものである。
【００３０】
【発明の効果】
本発明によれば、防刃性が優れているとともに、単に該防刃性が高いだけでなく、手袋着用者の手指の繊細な動き・運動、機能を害することが少なく、着用者により安全な使用状態を提供することのできる、従来には見られない防刃手袋が提供されるものである。
【００３１】
本発明の防刃手袋は、主として内層部に金属繊維糸を編糸として使用していることから、全体として、軽くかつ柔軟である。
【００３２】
このため、高い防刃効果を実現しながら、手袋着用者の手指の繊細な動き・運動、機能を害することが少なく、筆記動作や自動車の運転動作に支障を及ぼすことがほとんどない。
【００３３】
従って、筆記や自動車の運転などの動作に伴い、防刃手袋を脱ぐなどのことが必要なく、着用者に常に良好な防刃効果を与えることができるものである。
【図面の簡単な説明】
【図１】図１は、本発明の防刃手袋の中間層に用いられる金属繊維糸から編成された手袋構造体を示した概略モデル斜視図である。
【図２】図２は、本発明の防刃手袋をなす積層構造体の構成を概略的に示した概略断面モデル図であり、中間層の手袋構造体１と内側層の手袋構造体３および外側層の手袋構造体４からなる手指部をモデル的に示したものである。
【符号の説明】
１：中間層の手袋構造体
２：金属繊維糸
３：内側層の手袋構造体
４：外側層の手袋構造体
５：本発明の防刃手袋
【図１】
2004131871.tif 000003
【図２】
2004131871.tif 000004